(57)【特許請求の範囲】
【請求項１】
ダイヤルロックモードを設定するモード設定手段と、
各電話番号毎に発信可能レベルと参照可能レベルが個別に設定されたアドレス帳を記憶した記憶手段と、
この記憶手段に記憶された上記アドレス帳の中で選択された電話番号に従って発呼処理を行う発呼手段と、
セキュリティレベルを設定するレベル設定手段と、
上記モード設定手段によって上記ダイヤルロックモードが設定された状態で発呼指示があったときに、上記レベル設定手段によって設定された上記セキュリティレベルと上記アドレス帳の中の発呼時に入力された電話番号に設定された上記発信可能レベルとを比較し、上記発信可能レベルが上記セキュリティレベル以上の場合に発呼処理を実行し、上記発信可能レベルが上記セキュリティレベルより低い場合に発呼処理を禁止する第１の制御手段と、
上記モード設定手段によって上記ダイヤルロックモードが設定された状態で番号表示指示があったときに、上記レベル設定手段によって設定された上記セキュリティレベルと上記アドレス帳の各電話番号に設定された上記参照可能レベルとを比較し、上記参照可能レベルが上記セキュリティレベル以上の電話番号を対象として番号表示処理を実行する第２の制御手段と
を具備したことを特徴とする通信端末。
【請求項２】
ダイヤルロックモードを設定するモード設定手段と、
各電話番号毎に発信可能レベルが個別に設定されたアドレス帳を記憶した記憶手段と、
この記憶手段に記憶された上記アドレス帳の中で選択された電話番号に従って発呼処理を行う発呼手段と、
セキュリティレベルを設定するレベル設定手段と、
上記モード設定手段によって上記ダイヤルロックモードが設定された状態で発呼指示があったときに、上記レベル設定手段によって設定された上記セキュリティレベルと上記アドレス帳の中の発呼時に入力された電話番号に設定された上記発信可能レベルとを比較し、上記発信可能レベルが上記セキュリティレベル以上の場合に発呼処理を実行し、上記発信可能レベルが上記セキュリティレベルより低い場合に発呼処理を禁止する制御手段と
を具備したことを特徴とする通信端末。
【請求項３】
ダイヤルロックモードを設定するモード設定手段と、
各電話番号毎に参照可能レベルが個別に設定されたアドレス帳を記憶した記憶手段と、
この記憶手段に記憶された上記アドレス帳の中で選択された電話番号に従って発呼処理を行う発呼手段と、
セキュリティレベルを設定するレベル設定手段と、
上記モード設定手段によって上記ダイヤルロックモードが設定された状態で番号表示指示があったときに、上記レベル設定手段によって設定された上記セキュリティレベルと上記アドレス帳の各電話番号に設定された上記参照可能レベルとを比較し、上記参照可能レベルが上記セキュリティレベル以上の電話番号を対象として番号表示処理を実行する制御手段と
を具備したことを特徴とする通信端末。
【請求項４】
通信機能を備えたコンピュータに、
ダイヤルロックモードを設定する処理と、
各電話番号が登録されたアドレス帳の中で上記各電話番号毎に発信可能レベルと参照可能レベルを個別に設定する処理と、
上記アドレス帳の中で選択された電話番号に従って発呼する処理と、
セキュリティレベルを設定する処理と、
上記ダイヤルロックモードが設定された状態で発呼指示があったときに、上記セキュリティレベルと上記アドレス帳の中の発呼時に入力された電話番号に設定された上記発信可能レベルとを比較し、上記第１のレベルが上記セキュリティレベル以上の場合に発呼処理を実行し、上記第１のレベルが上記セキュリティレベルより低い場合に発呼処理を禁止する処理と、
上記ダイヤルロックモードが設定された状態で番号表示指示があったときに上記セキュリティレベルと上記アドレス帳の各電話番号に設定された上記参照可能レベルとを比較し、上記参照可能レベルが上記セキュリティレベル以上の電話番号を上記アドレス帳から抽出して表示する処理と
を実行させるためのプログラムを記録したコンピュータ読取り可能な記録媒体。
【発明の詳細な説明】
【０００１】
【発明の属する技術分野】
本発明は、例えば携帯電話等の通信端末に係り、特に不正使用を防ぐセキュリティ機構の１つであるダイヤルロック機能を備えた通信端末に関する。
【０００２】
【従来の技術】
従来、携帯電話では、他人に不正利用されることを防ぐためにダイヤルロック機能を備えているものがある。ダイヤルロック機能とは、その機器からの発呼を禁止する機能であり、通常、ダイヤルロックモードを設定した後、特定の暗証番号（パスワード）にてダイヤルロックモードを解除するまでの間、すべての電話番号の入力に対する発呼処理を禁止することで実現されている。
【０００３】
【発明が解決しようとする課題】
上述したように、従来のダイヤルロック機能では、特定の暗証番号でモードを解除しない限り、その携帯電話から発呼することはできないようになっている。この方法はセキュリティの観点からは有効であるが、すべての電話番号への発呼を禁止してしまうため、発呼を行うためには暗証番号によるロック解除操作がその都度必要となり、実用上不便である。
【０００４】
また、携帯電話は日常的に使用されるため、設定・解除が面倒なダイヤルロック機能を常用することはあまりない。この場合、常用しやすくするためにロック解除操作を簡単化してしまうと、セキュリティの面で無意味となり、紛失、盗難などにより他人に不正使用される可能性が高くなる。
【０００５】
このように、設定・解除の操作を頻繁に行わなければならないダイヤルロック機能は常用されることが少なく、紛失・盗難時など、実際にセキュリティが必要となる場面でダイヤルロックされていないことが多かった。
【０００６】
本発明はこのような点に鑑みなされたもので、セキュリティを確保すると共に、日常的に使いやすいダイヤルロック機能を実現することを目的とする。
【００１３】
【課題を解決するための手段】
本発明の通信端末は、ダイヤルロックモードを設定するモード設定手段と、各電話番号毎に発信可能レベルと参照可能レベルが個別に設定されたアドレス帳を記憶した記憶手段と、この記憶手段に記憶された上記アドレス帳の中で選択された電話番号に従って発呼処理を行う発呼手段と、セキュリティレベルを設定するレベル設定手段と、上記モード設定手段によって上記ダイヤルロックモードが設定された状態で発呼指示があったときに、上記レベル設定手段によって設定された上記セキュリティレベルと上記アドレス帳の中の発呼時に入力された電話番号に設定された上記発信可能レベルとを比較し、上記発信可能レベルが上記セキュリティレベル以上の場合に発呼処理を実行し、上記発信可能レベルが上記セキュリティレベルより低い場合に発呼処理を禁止する第１の制御手段と、上記モード設定手段によって上記ダイヤルロックモードが設定された状態で番号表示指示があったときに、上記レベル設定手段によって設定された上記セキュリティレベルと上記アドレス帳の各電話番号に設定された上記参照可能レベルとを比較し、上記参照可能レベルが上記セキュリティレベル以上の電話番号を対象として番号表示処理を実行する第２の制御手段とを具備して構成される。
【００１４】
このような構成によれば、各電話番号毎に発信可能レベルと参照可能レベルを個別に設定しておくことで、ダイヤルロックモードが設定された状態で、セキュリティレベルに応じて各電話番号毎に発呼と参照を分けて制御することができる。
【００１５】
【発明の実施の形態】
以下、図面を参照して本発明の一実施形態を説明する。
【００１６】
図１は本発明の一実施形態に係る通信端末の構成を示すブロック図である。この通信端末は、例えば携帯電話または無線通信機能を備えた情報端末装置などからなる。
【００１７】
図１に示すように、本実施形態における通信端末は、音声入出力部１１、コーデック部１２、無線部１３、アンテナ１４からなる通信部分と、操作入力部１５、表示部１６、制御部１７、メモリ１８、アドレス帳記憶部１９からなる操作制御部分とで構成される。
【００１８】
音声入出力部１１はマイクやスピーカなどからなり、音声データの入出力を行う。コーデック部１２は、音声入出力部１１と無線部１３との間でデータの符号化・復号化、あるいは無線信号の変復調処理を行う。無線部１３はアンテナ１４を介して図示せぬ無線基地局との間で無線電波による通信処理を行う。
【００１９】
操作入力部１５は、ユーザの操作入力を受け付ける。この操作入力部１５には、電話番号を入力するためのダイヤルボタン、発呼指示を行うための発呼ボタン、着呼指示を行うための着呼ボタンの他、ダイヤルロックの設定／解除、セキュリティレベルの設定、アドレス帳の参照、ダイヤルロック例外番号の登録などを行うためのファンクションキーが設けられている。表示部１６は、例えばＬＣＤ（Liquid Crystal Display）からなり、データの表示を行う。
【００２０】
制御部１７は、マイクロプロセッサからなり、この通信端末全体の制御を行うものであり、プログラムを読み込むことで各種の処理を実行する。ダイヤルロック機能に関する処理もここで行なわれる。なお、本発明を実現するためのプログラムを磁気ディスク等の記録媒体２０に記録して各装置に提供することが可能である。また、プログラムの提供方法は記録媒体２０に限らず、ネットワーク等の通信媒体を介することでも良い。
【００２１】
制御部１７は、各種処理に必要な情報を記憶しておくためのメモリ１８を備えている。図２にメモリ１８の内容を示す。メモリ１８には、現在のモード（通常／ダイヤルロック）を格納しておくためのモード領域１８ａ、セキュリティレベル（例えば１〜３）を格納しておくためのセキュリティレベル領域１８ｂ、ダイヤル発信番号を格納しておくための発信番号格納領域１８ｃ、パスワードを格納しておくためのパスワード領域１８ｄなどが設けられている。
【００２２】
アドレス帳記憶部１９は、ユーザが登録したアドレス帳を記憶している。図３にアドレス帳の構成を示す。アドレス帳は、氏名（Ｄ１）と電話番号（Ｄ２）、さらにダイヤルロック例外番号の属性（Ｄ３）を有する。ダイヤルロック例外番号とは、ダイヤルロックモードでも例外的に発呼が可能な電話番号を示すものである。図３の例では、「自宅」の電話番号と、「登録Ａ」、「登録Ｂ」の電話番号がダイヤルロック例外番号として設定されている。
【００２３】
次に、フローチャートを参照しながら、本実施形態における通信端末の処理動作について、（ａ）通常モード（ダイヤルロックされていない状態）での処理と、（ｂ）ダイヤルロックモード（ダイヤルロックされている状態）での処理に分けて説明する。
【００２４】
（ａ）通常モード
まず、通常モードでの動作について説明する。
【００２５】
ユーザが操作入力部１５を操作する度に図４に示すメイン処理が実行される。このメイン処理では、ダイヤルロックモードの設定／解除指示、セキュリティレベルの変更指示、アドレス帳の参照指示（番号表示指示）、電話番号入力、発呼指示、例外番号の登録／解除指示が判断される（ステップＳ１１〜Ｓ１６）。
【００２６】
ここで、操作入力部１５を通じてダイヤルロックモードの設定／解除が指示された場合（ステップＳ１１のＹｅｓ）、図５に示すダイヤルロック状態移行処理のサブルーチンに移る（ステップＳ１７）。このダイヤルロック状態移行処理では、現在のモードが判定される（ステップＡ１１）。現在のモードは、メモリ１８のモード領域１８ａに設定されている。現在のモードがダイヤルロックモードでない場合、つまり、通常モードで上記ダイヤルロックモードの設定／解除指示があった場合には（ステップＡ１１のＮｏ）、現在のモードがダイヤルロックモードに変更される（ステップＡ１５）。
【００２７】
また、操作入力部１５を通じてセキュリティレベルの変更が指示された場合（ステップＳ１２のＹｅｓ）、図６に示すセキュリティ設定処理のサブルーチンに移る（ステップＳ１７）。このセキュリティ設定処理では、ユーザがパスワードの入力を行い（ステップＢ１６）、その入力されたパスワードが予め登録されているパスワードと一致するか否かがチェックされる（ステップＢ１７）。パスワードはメモリ１８のパスワード領域１８ｄに設定されている。このパスワード領域１８ｄに記憶されたパスワードと一致すれば（ステップＢ１７のＹｅｓ）、セキュリティレベルを変更することができる（ステップＢ１８）。本実施形態では、セキュリティレベルを１〜３の範囲で任意に変更可能であり、その変更操作に伴う現在のセキュリティレベルがメモリ１８のセキュリティレベル領域１８ｂに記憶される。
【００２８】
また、操作入力部１５を通じてアドレス帳の参照が指示された場合（ステップＳ１３のＹｅｓ）、図７に示すアドレス帳参照処理のサブルーチンに移る（ステップＳ１９）。このアドレス帳参照処理では、現在のモードが判定される（ステップＣ１１）。そして、現在のモードが通常モードの場合には（ステップＣ１１のＮｏ）、アドレス帳記憶部１９に記憶されているアドレス帳（氏名と電話番号の登録データ）が表示部１６にリスト表示される（ステップＣ１５）。このアドレス帳のリスト表示により、ユーザはアドレス帳の中から所望の電話番号を選択することができる（ステップＣ１６）。アドレス帳の中から選択された電話番号は、メモリ１８の発信番号格納領域１８ｃにダイヤル発信番号として設定される。
【００２９】
一方、アドレス帳によらず、直接電話番号が入力された場合には（ステップＳ１４のＹｅｓ）は、その入力番号がダイヤル発信番号として発信番号格納領域１８ｃに設定される（ステップＳ２０）。
【００３０】
また、操作入力部１５を通じて発呼指示があった場合（ステップＳ１５のＹｅｓ）、図８に示す発呼処理のサブルーチンに移る（ステップＳ２１）。この発呼処理では、まず、上記メモリ１８の発信番号格納領域１８ｃにダイヤル発信番号が設定されているか否かがチェックされる（ステップＤ１１）。ダイヤル発信番号が設定されていなければ発信できないので、ここでの処理をスキップする（ステップＤ１１のＮｏ）。ダイヤル発信番号が設定されている場合には（ステップＤ１１のＹｅｓ）、現在のモードが判定され、通常モードであれば（ステップＤ１２のＮｏ）、上記ダイヤル発信番号に従って発呼処理が行なわれる（ステップＤ１５）。
【００３１】
また、操作入力部１５を通じてダイヤルロック例外番号の登録／解除が指示された場合（ステップＳ１６のＹｅｓ）、図９に示す例外番号登録処理のサブルーチンに移る（ステップＳ２２）。この例外番号登録処理では、まず、メモリ１８の発信番号格納領域１８ｃにダイヤル発信番号が設定されているか否かがチェックされる（ステップＥ１１）。上記発信番号格納領域１８ｃにダイヤル発信番号が設定されていなければ（ステップＥ１１のＮｏ）、例外番号の登録ができないので、ここでの処理をスキップする。
【００３２】
上記発信番号格納領域１８ｃにダイヤル発信番号が設定されている場合には（ステップＥ１１のＹｅｓ）、そのダイヤル発信番号がアドレス帳記憶部１９のアドレス帳に既に登録されているダイヤルロック例外番号（Ｄ３）と同じ番号か否かがチェックされる（ステップＥ１２）。その結果、上記ダイヤル発信番号がダイヤルロック例外番号（Ｄ３）と異なる場合には（ステップＥ１２のＮｏ）、登録処理が行われる。この場合、パスワードの入力が必要となる（ステップＥ１３）。パスワードが入力されると、その入力されたパスワードが予め登録されているパスワードと一致するか否かがチェックされる（ステップＥ１４）。登録パスワードはメモリ１８のパスワード領域１８ｄに設定されている。入力されたパスワードがパスワード領域１８ｄに設定された登録パスワードと一致すれば（ステップＥ１４のＹｅｓ）、上記ダイヤル発信番号がアドレス帳にダイヤルロック例外番号として登録される（ステップＥ１５）。パスワードが認められなければ処理はスキップされる。
【００３３】
一方、上記ダイヤル発信番号と一致するものが既に登録されていれば（ステップＥ１２のＹｅｓ）、パスワードの入力により（ステップＥ１６）、その入力されたパスワードが予め登録されているパスワードと一致する場合に（ステップＥ１７のＹｅｓ）、アドレス帳から上記ダイヤル発信番号に対応したダイヤルロック例外番号が削除される（ステップＥ１８）。パスワードが認められなければ処理はスキップされる。
【００３４】
上記のような手順により、通常モードでは、アドレス帳の参照、任意の電話番号へのダイヤル発信、ダイヤルロックモードへの移行が自由に可能である。また、パスワードを用いることで、セキュリティレベルの変更、ダイヤルロック例外登録番号の設定／解除が可能である。
【００３５】
（ｂ）ダイヤルロックモード
次に、ダイヤルロックモードでの動作について説明する。
【００３６】
通常モードと同じく、使用者から操作入力部１５を操作する度に図４に示すメイン処理が実行される。
【００３７】
操作入力部１５を通じてダイヤルロックモードの設定／解除が指示された場合（ステップＳ１１のＹｅｓ）、図５に示すダイヤルロック状態移行処理のサブルーチンに移る（ステップＳ１７）。このダイヤルロック状態移行処理では、現在のモードが判定される（ステップＡ１１）。今、ダイヤルロックモードであるので（ステップＡ１１のＹｅｓ）、パスワードの入力が必要となる（ステップＡ１２）。パスワードが一致すれば（ステップＡ１３のＹｅｓ）、ダイヤルロックモードを解除して通常モードに移行するが（ステップＡ１４）、パスワードが一致しなければダイヤルロックモードのままである。
【００３８】
また、操作入力部１５を通じてセキュリティレベルの変更が指示された場合（ステップＳ１２のＹｅｓ）、図６に示すセキュリティ設定処理のサブルーチンに移る（ステップＳ１７）。このセキュリティ設定処理では、通常モード時と同じくパスワード入力とその判定により、セキュリティレベルの変更が行われる。変更後のセキュリティレベルはメモリ１８のセキュリティレベル領域１８ｂに設定される。
【００３９】
また、操作入力部１５を通じてアドレス帳の参照が指示された場合（ステップＳ１３のＹｅｓ）、図７に示すアドレス帳参照処理のサブルーチンに移る（ステップＳ１９）。このアドレス帳参照処理では、現在のモードが判定され、ダイヤルロックモードの場合には（ステップＣ１１のＹｅｓ）、さらに現在のセキュリティレベルが判定される（ステップＣ１２）。現在のセキュリティレベルは、メモリ１８のセキュリティレベル領域１８ｂに設定されている。このセキュリティレベルがレベル２以上であれば、例外番号に関係なく、アドレス帳のすべての電話番号に対するリスト表示が禁止される。
【００４０】
現在のセキュリティレベルがレベル１以下であれば、例外番号（ダイヤルロック中でも発信可能な番号）のみを対象として、アドレス帳がリスト表示される（ステップＣ１３）。すなわち、図３の例では、アドレス帳の中で「自宅」、「登録Ａ」、「登録Ｂ」のみがリスト表示される。このアドレス帳のリスト表示により、ユーザはアドレス帳の中から所望の電話番号を選択することができる（ステップＣ１４）。アドレス帳の中から選択された電話番号は、メモリ１８の発信番号格納領域１８ｃにダイヤル発信番号として設定される。
【００４１】
一方、アドレス帳によらず、直接電話番号が入力された場合には（ステップＳ１４のＹｅｓ）は、その入力番号がダイヤル発信番号として発信番号格納領域１８ｃに設定される（ステップＳ２０）。
【００４２】
また、操作入力部１５を通じて発呼指示があった場合（ステップＳ１５のＹｅｓ）、図８に示す発呼処理のサブルーチンに移る（ステップＳ２１）。この発呼処理では、まず、上記メモリ１８の発信番号格納領域１８ｃにダイヤル発信番号が設定されているか否かがチェックされる（ステップＤ１１）。ダイヤル発信番号が設定されていなければ発信できないので、ここでの処理をスキップする（ステップＤ１１のＮｏ）。ダイヤル発信番号が設定されている場合には（ステップＤ１１のＹｅｓ）、現在のモードが判定され、ダイヤルロックモードの場合は（ステップＤ１２のＹｅｓ）、さらに現在のセキュリティレベルが判定される（ステップＤ１３）。現在のセキュリティレベルは、メモリ１８のセキュリティレベル領域１８ｂに設定されている。
【００４３】
そして、現在のセキュリティレベルがレベル３以上であれば、例外番号に関係なく、発呼処理が禁止される。現在のセキュリティレベルがレベル２以下であれば、メモリ１８の発信番号格納領域１８ｃに設定されているダイヤル発信番号がアドレス帳内でダイヤルロック例外番号として登録されているか否かが判定される（ステップＤ１４）。上記ダイヤル発信番号がダイヤルロック例外番号として登録されていれば（ステップＤ１４のＹｅｓ）、上記ダイヤル発信番号に従って発呼処理が行なわれる（ステップＤ１５）。一方、上記ダイヤル発信番号がダイヤルロック例外番号として登録されていなければ（ステップＤ１４のＮｏ）、発呼処理を禁止して、ここでの処理をスキップする。
【００４４】
すなわち、セキュリティレベル２以下のときには、図３の例で、「自宅」、「登録Ａ」、「登録Ｂ」に関してのみ、ダイヤル発信（発呼処理）が行われることになり、それ以外の電話番号についてはダイヤル発信されない。
【００４５】
また、操作入力部１５を通じてダイヤルロック例外番号の登録／解除が指示された場合（ステップＳ１６のＹｅｓ）、図９に示す例外番号登録処理のサブルーチンに移り、通常モードと同じくパスワード入力によってダイヤルロック例外番号の登録または解除が行われる。
【００４６】
上記のような手順により、ダイヤルロックモード時には、ダイヤルロックモードの解除、ダイヤルロック例外番号の登録と解除、セキュリティレベルの変更にはパスワードの入力が必要である。
【００４７】
また、現在のセキュリティレベルがレベル３以上に設定されている場合には、すべての電話番号に対するダイヤル発信が禁止され、通常のダイヤルロックと同じ状態となる。
【００４８】
また、現在のセキュリティレベルがレベル２に設定されている場合には、アドレス帳の参照は禁止されているが、電話番号を直接入力することでダイヤルロック例外登録されている相手先にだけは電話をかけることが可能である。
【００４９】
さらに、現在のセキュリティレベルがレベル１の状態では、ダイヤルロック例外番号として登録されている電話番号をアドレス帳から選択して電話をかけることが可能である。しかし、セキュリティレベルがレベル２のときと同様に、予め例外登録されている電話番号以外には電話をかけることはできない。
【００５０】
ここで、図１０に通常モードとダイヤルロックモードの間のモード遷移図を示す。
【００５１】
通常モード（Ｍ１）の状態にあるときは、ダイヤルロックを指示することでダイヤルロックモード（Ｍ２）に移動することができる。ダイヤルロックモードの解除にはパスワードが必要である。
【００５２】
通常モード（Ｍ１）、ダイヤルロックモード（Ｍ２）のどちらからでも、セキュリティレベル変更（Ｍ３）やダイヤルロック例外番号の登録（Ｍ４）に移動できるが、これらを実行する際にはパスワードの入力が必要であり、ダイヤルロックモード解除と同じだけのセキュリティが確保されることになる。また、これらを実行後に元のモードに戻るため、ダイヤルロックモード（Ｍ２）からセキュリティレベル変更（Ｍ３）を経由して通常モード（Ｍ１）になってしまうようなことはない。
【００５３】
以上のように、ダイヤルロックモードの間は、セキュリティレベルの設定に応じて、例外番号のアドレス帳参照や、例外番号のダイヤル発信を選択的に許可できる。
【００５４】
そこで、例えば、自宅の電話番号と友人の電話番号はダイヤルロック例外番号として登録しておき、普段はセキュリティレベル１で使用することを考える。このとき、自宅と友人への電話はアドレス帳を参照、選択することで通常モードと同じように電話をかけることができる。しかし、それ以外の電話番号には発信できないため、紛失あるいは窃盗によって他人に渡った場合でも、不正使用をかなりの範囲で防ぐことができる。
【００５５】
さらに普段からセキュリティレベル２で使用することを考える。セキュリティレベル２では、アドレス帳の参照が禁止となり、例外登録された電話番号に関しても、発信の度にその電話番号を直接入力する必要がある。しかし、他人は例外番号を含めてアドレス帳のすべての番号を参照することはできないため、いたずら電話なども含めてダイヤル発信を防止することができる。
【００５６】
なお、セキュリティレベル３とすれば、例外番号に関係なく、すべてにダイヤルロックが有効となる。したがって、従来からあるダイヤルロックを好むユーザはセキュリティレベル３を設定しておけば良い。
【００５７】
（他の実施形態）
ここでは、一歩発展させてアドレス帳の登録番号１つ１つについて、ダイヤル発信許可とアドレス帳の参照を独立にレベル設定し、ダイヤルロックモード時のセキュリティレベルに応じて対応することを考える。
【００５８】
すなわち、図１１に示すように、氏名（Ｄ１）と電話番号（Ｄ２）の他に、ダイヤル発信可能レベル（Ｄ４）とアドレス帳参照可能レベル（Ｄ５）を属性として有するアドレス帳を用いる。ここでは説明を簡単にするため、同じ電話番号での登録が２つ以上は存在しないものとする。ダイヤル発信可能レベル（Ｄ４）とアドレス帳参照可能レベル（Ｄ５）としては、セキュリティレベルと同じ１〜３の他に０を登録可能であるとする。なお、このダイヤル発信可能レベル（Ｄ４）とアドレス帳参照可能レベル（Ｄ５）の設定は、所定の操作により操作入力部１５を通じてアドレス帳の発信／参照レベル設定を指示することにより行うものとする。
【００５９】
さらに、図４のステップＳ１９におけるアドレス帳参照処理のサブルーチンとして、図１２に示す「アドレス帳参照処理２」を用い、図４のステップＳ２１における発呼処理のサブルーチンとして、図１３に示す「発呼処理２」を用いるものとする。
【００６０】
動作を以下に詳しく説明する。ただし、通常モード時の動作と、ダイヤルロックモード時でも発呼処理及びアドレス帳参照処理以外の動作については、上記実施形態で説明した手順と同じであるため、ここでは省略する。
【００６１】
図４のメイン処理中でアドレス帳参照が指示された場合（ステップＳ１３のＹｅｓ）、図１２のアドレス帳参照処理２のサブルーチンに移る（ステップＳ１９）。
【００６２】
このアドレス帳参照処理２では、ダイヤルロックモードが設定されている場合において（ステップＦ１１のＹｅｓ）、図１１に示すアドレス帳の中からアドレス帳参照可能レベル（Ｄ５）が現在のセキュリティレベル以上であるものが抽出され（ステップＦ１２）、その抽出番号のみが表示部１６にリスト表示される（ステップＦ１３）。現在のセキュリティレベルはメモリ１８のセキュリティレベル領域１８ｂに設定されている。参照可能レベルが現在のセキュリティレベル未満であるものについては表示を行わない。このようなアドレス帳のリスト表示により、ユーザはアドレス帳の中から所望の電話番号を選択することができる（ステップＦ１４）。アドレス帳の中から選択された電話番号は、メモリ１８の発信番号格納領域１８ｃにダイヤル発信番号として設定される。
【００６３】
また、図４のメイン処理中で発呼処理が指示された場合には（ステップＳ１５のＹｅｓ）、図１３に示す発呼処理２のサブルーチンに移る（ステップＳ２１）。
【００６４】
この発呼処理２では、まず、上記メモリ１８の発信番号格納領域１８ｃにダイヤル発信番号が設定されているか否かがチェックされる（ステップＧ１１）。ダイヤル発信番号が設定されていなければ発信できないので、ここでの処理をスキップする（ステップＧ１１のＮｏ）。ダイヤル発信番号が設定されている場合には（ステップＧ１１のＹｅｓ）、現在のモードが判定され、ダイヤルロックモードであれば（ステップＧ１２のＹｅｓ）、図１１に示すアドレス帳の電話番号部（Ｄ２）にダイヤル発信番号と一致するものが登録されているか否かが検索され、一致するものがなければダイヤル発信しない（ステップＧ１３のＮｏ）。
【００６５】
一致するものが検索された場合（ステップＧ１３のＹｅｓ）、その番号の発信可能レベル（Ｄ４）が読み出される（ステップＧ１４）。そして、その発信可能レベルの値が現在のセキュリティレベル以上である場合のみ（ステップＧ１５のＹｅｓ）、ダイヤル発信が行なわれる。発信可能レベルがセキュリティレベル未満の場合はダイヤル発信しない（ステップＧ１５のＮｏ）。
【００６６】
このような手順により、アドレス帳に登録されているすべての電話番号について、アドレス帳からの参照と発信の可否をセキュリティレベルに応じて個別に設定できる。
【００６７】
具体的に説明すると、図１１に示すように、「自宅」の電話番号に対する発信可能レベルが２、参照可能レベルが３であるとする。セキュリティレベルは１〜３の値を取るため、「自宅」の電話番号についてはセキュリティレベルがどのような値に設定されていても、アドレス帳の参照が可能である。したがって、ダイヤルロック状態でも、紛失時などに拾得者から連絡をしてもらえる可能性がある。また、セキュリティレベル２以下にしておけば、自宅の電話番号への発信が可能になるため、本通信端末（携帯電話）から自宅へ連絡してもらうことができる。
【００６８】
また、「登録Ａ」の電話番号はセキュリティレベル２以下のときにアドレス帳参照と発信が可能になる。「登録Ｂの」の電話番号はセキュリティレベル２以下で発信可能、セキュリティレベル１以下でアドレス帳参照可能である。セキュリティレベル２でダイヤルロックする場合、電話をかけることが可能な電話番号のうち、アドレス帳から参照できる電話番号とそうでない電話番号とを分けることができる。
【００６９】
「登録Ｃ」の電話番号はダイヤルロック中はセキュリティレベルに関係なくアドレス帳の参照はできないが、電話番号を直接入力すれば発信が可能である。逆に、「登録Ｄ」の電話番号はアドレス帳から参照することはいつでもできるが、発信するにはダイヤルロックを解除する必要がある。「登録Ｃ」のような設定は秘密設定を兼ねる。また、「登録Ｄ」のような設定は、例えば商用サービス（例えばチケット予約）などを登録しておくと便利である。
【００７０】
なお、発信可能レベルやアドレス帳参照レベル、セキュリティレベルは０〜３の値を取るものとして説明したが、この例に制限されない。
【００７１】
また、本発明の端末装置に遠隔操作によるモード切り替え機能を搭載すれば、さらに様々な応用が可能となる。例えば、通常はセキュリティレベル２で使用し、紛失時には遠隔操作でセキュリティレベル３に変更することができれば、予め設定されたアドレス帳参照可能レベルや発信可能レベルによって自宅連絡先の表示以外を禁止することなどもできる。なお、遠隔操作は、例えば本通信端末に外から電話をかけ、パスワードを入力するなどして行うものとする。
【００７２】
また、本発明は、携帯電話や無線通信機能を備えた情報端末の他、公衆網に接続された一般電話など、発信機能を備えた機器であれば、そのすべての機器に適用可能である。
【００７３】
また、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に適用したり、通信媒体により伝送して各種装置に適用することも可能である。本装置を実現するコンピュータは、記録媒体に記録されたプログラムを読み込み、このプログラムによって動作が制御されることにより、上述した処理を実行する。
【００７４】
【発明の効果】
以上のように本発明によれば、ダイヤルロックモード中でも例外的に発信可能な電話番号を登録しておくことができる。例外登録として、例えば自宅の電話番号など、ユーザが頻繁に使用する電話番号のみを厳選しておけば、ダイヤルロックを解除することなく、その電話番号についてのみ電話をかけることができ、使い勝手が良くなる。また、紛失や盗難などで他人に渡った場合でも不正使用をかなりの範囲で防ぐことができるため、セキュリティ面でも安心である。
【００７５】
また、アドレス帳の表示も同様にして制限しておくことで、他人がアドレス帳を盗み見たり、そのアドレス帳から発呼することをかなりの範囲で防ぐことができる。
【００７６】
また、アドレス帳の各電話番号毎に発信可能レベルと番号参照可能レベルを個別に設定することで、例えば自宅の電話番号についてはアドレス帳の参照のみ可能で、発呼は不可といったように、各電話番号毎に発呼と参照を分けて制御することもできる。
【図面の簡単な説明】
【図１】本発明の一実施形態に係る通信端末の構成を示すブロック図。
【図２】上記通信端末の制御部に設けられたメモリの内容を示す図。
【図３】上記通信端末に用いられるアドレス帳の構成を示す図。
【図４】上記通信端末におけるメイン処理を示すフローチャート。
【図５】上記メイン処理から呼び出されるダイヤルロック状態移行処理のサブルーチンを示すフローチャート。
【図６】上記メイン処理から呼び出されるセキュリティ設定処理のサブルーチンを示すフローチャート。
【図７】上記メイン処理から呼び出されるアドレス帳参照処理のサブルーチンを示すフローチャート。
【図８】上記メイン処理から呼び出される発呼処理のサブルーチンを示すフローチャート。
【図９】上記メイン処理から呼び出される例外番号登録処理のサブルーチンを示すフローチャート。
【図１０】通常モードとダイヤルロックモードの間のモード遷移図。
【図１１】本発明の他の実施形態として用いられるアドレス帳の構成を示す図。
【図１２】本発明の他の実施形態として上記メイン処理から呼び出されるアドレス帳参照処理のサブルーチンを示すフローチャート。
【図１３】本発明の他の実施形態として上記メイン処理から呼び出される発呼処理のサブルーチンを示すフローチャート。
【符号の説明】
１１…音声入出力部
１２…コーデック部
１３…無線部
１４…アンテナ
１５…操作入力部
１６…表示部
１７…制御部
１８…メモリ
１８ａ…モード領域
１８ｂ…セキュリティレベル領域
１８ｃ…発信番号格納領域
１８ｄ…パスワード領域
１９…アドレス帳記憶部
２０…記録媒体
【図１】
0004439085.tif 000002
【図２】
0004439085.tif 000003
【図３】
0004439085.tif 000004
【図４】
0004439085.tif 000005
【図５】
0004439085.tif 000006
【図６】
0004439085.tif 000007
【図７】
0004439085.tif 000008
【図８】
0004439085.tif 000009
【図９】
0004439085.tif 000010
【図１０】
0004439085.tif 000011
【図１１】
0004439085.tif 000012
【図１２】
0004439085.tif 000013
【図１３】
0004439085.tif 000014